(57)【特許請求の範囲】
【請求項１】
正側、負側にそれぞれ異なる帯域のフィルタを備え、これらのフィルタからの出力により妨害局のある帯域を混信状態判別部で判別し、この判別結果に応じて前記ＡＭ検波部は妨害のない側の帯域を用いてＳＳＢに基づく同期検波を行うことを特徴とするＡＭラジオ受信機。
【請求項２】
ミキサ回路と、このミキサ回路からの出力を増幅するＩＦ増幅部と、ＩＦ増幅部からの信号を検波するＡＭ検波部と、を有するＡＭラジオ受信機において、ＩＦ増幅部は、正側、負側にそれぞれ異なる帯域のフィルタを有する複数のＩＦ増幅器を備え、これらＩＦ増幅器からの出力により妨害局のある帯域を混信状態判別部で判別し、この判別結果に応じて前記ＡＭ検波部は妨害のない側の帯域を用いてＳＳＢに基づく同期検波を行うことを特徴とするＡＭラジオ受信機。
【請求項３】
前記ＡＭ検波部は、整流検波部と同期検波部とを備え、前記混信状態判別部の判別結果により、検波に用いる検波部が切り替えられることを特徴とする請求項１または２に記載のＡＭラジオ受信機。
【発明の詳細な説明】
【０００１】
【発明の属する技術分野】
この発明は、ＡＭラジオ受信機に関し、ＡＭ受信時における帯域切替及び検波の方式に関する。
【０００２】
【従来の技術】
ＡＭラジオ受信機では、受信されたＲＦ受信信号に局部発振信号を混合してＩＦ受信信号に周波数変換し、これをＡＭ検波して低周波信号を得ている。このときＩＦ増幅部には所定の周波数帯域のフィルタが設けられており、必要な帯域の受信信号のみが取り出される。
【０００３】
わが国におけるＡＭ放送の送信キャリアは±９ｋＨｚステップで設けられており、従来のＡＭラジオ受信機は、通常±３ｋＨｚの帯域幅のフィルタを前記ＩＦ増幅部に使用している。このフィルタ帯域は、隣接局の妨害電波を考慮したものであり、希望局に対して隣接妨害局が入力される場合に生じる混信を防止している。
【０００４】
しかしながら、前述した±３ｋＨｚのフィルタ帯域では、正常受信時の音質劣化と隣接妨害局の除去能力の低下を招くという問題があった。
【０００５】
また、隣接妨害局の防止に関しては、前述したように、日本国内における送信キャリアの間隔からすれば、±３ｋＨｚのフィルタ帯域は十分な隣接局分離を可能にするが、例えば、夜間などにおいては国外からの隣接妨害電界が著しく大きくなり、この結果、±３ｋＨｚのフィルタ帯域では、良好な隣接局の分離が行えないという問題があった。
【０００６】
【発明が解決しようとする課題】
上記問題点を解決するために、特開平５−２１８８９号（Ｈ０４Ｂ  １／００）には、ＡＭ受信状態に応じて最適なフィルタ帯域を選択して、良好な音質で受信でき、かつ隣接妨害を排除するように、ＡＭ信号の通過帯域を切り替えるＡＭ受信帯域切り替え回路が開示されている。
【０００７】
上記した回路においては、受信した妨害局の信号を遮断するために最も広いフィルタ帯域を選択して出力するように構成しているので、妨害電波信号を遮断し、広帯域で受信することができる。
【０００８】
しかしながら、上記した回路においては、ＡＭ検波方式として、整流検波や包絡線検波を用いているため、希望局の＋（正）側もしくは−（負）側の一方の側だけに妨害電波がある場合においても、±両側の通過帯域を狭くして妨害局の信号を遮断している。このため、必要以上に帯域を狭めることになり、音声の再生帯域が狭くなるという難点があった。
【０００９】
この発明は、上述した従来の問題点に鑑みなされたものにして、帯域が絞られた音声を再生するのではなく、できる限り広帯域で音声信号の生成が行えるＡＭラジオ受信機を提供することを目的とする。
【００１０】
【課題を解決するための手段】
この発明は、正側、負側にそれぞれ異なる帯域のフィルタを備え、これらのフィルタからの出力により妨害局のある帯域を混信状態判別部で判別し、この判別結果に応じて前記ＡＭ検波部は妨害のない側の帯域を用いてＳＳＢに基づく同期検波を行うことを特徴とする。
【００１１】
また、この発明は、ミキサ回路と、このミキサ回路からの出力を増幅するＩＦ増幅部と、ＩＦ増幅部からの信号を検波するＡＭ検波部と、を有するＡＭラジオ受信機において、ＩＦ増幅部は、正側、負側にそれぞれ異なる帯域のフィルタを有する複数のＩＦ増幅器を備え、これらＩＦ増幅器からの出力により妨害局のある帯域を混信状態判別部で判別し、この判別結果に応じて前記ＡＭ検波部は妨害のない側の帯域を用いてＳＳＢに基づく同期検波を行うことを特徴とする。
【００１２】
前記ＡＭ検波部は、整流検波部と同期検波部とを備え、前記混信状態判別部の判別結果により、検波に用いる検波部を切り替えるように構成することができる。
【００１３】
上記構成によれば、希望局の片側だけに妨害局がある場合には、片側の妨害のない広帯域信号をＳＳＢで用いた同期検波により検出することで、良質な音声を再生できる。
【００１４】
【発明の実施の形態】
以下、この発明の実施の形態につき図面に従い説明する。図１は、この発明の全体構成を示すブロック図である。
【００１５】
図１に示すように、この実施の形態におけるＡＭラジオ受信機は、ミキサ回路１とＩＦ増幅部２と混信状態判断部３とＡＭ検波部４とが直列接続されている。このミキサ回路１は図示しない高周波増幅器及びアンテナが接続され、受信した希望局のＲＦ受信信号をＩＦ増幅部２で周波数変換し、ＩＦ増幅部２で増幅する。ＩＦ増幅部２で増幅された信号は混信状態判断部３に与えられる。この混信状態判断部３はＩＦ増幅部２からの与えられた出力信号のエネルギー状態に基づき、混信状態を判別し通過帯域信号及びＡＭ検波部４の検波方式を決めるモード信号をＡＭ検波部４に与える。
【００１６】
ＡＭ検波部４は、この実施の形態においては、整流検波方式とＳＳＢで用いる同期検波方式の２種類の検波部、すなわち、整流検波部４１及び同期検波部４２を備え、混信状態判断部３からのモード信号に応じて検波方式を選択し、入力された帯域通過信号を検波する。
【００１７】
この実施の形態におけるＩＦ増幅部２は６種類のＩＦ増幅器２１〜２６を有し、希望局より＋側の帯域を通過させるバンドパスフィルタ（＋ＢＰＦ）を備えた３種類のＩＦ増幅器２１，２２，２３と、希望局より−側の帯域を通過させるバンドパスフィルタ（−ＢＰＦ）を備えた３種類のＩＦ増幅器２４，２５，２６とで構成されている。
【００１８】
ＩＦ増幅器２１のＢＰＦ１は希望局＋７ｋＨｚの広帯域のフィルタ、ＩＦ増幅器２２のＢＰＦ２は希望局＋３ｋＨｚの中帯域のフィルタ、ＩＦ増幅器２３のＢＰＦ３は希望局＋１ｋＨｚの狭帯域のフィルタを有し、各帯域のＩＦ受信信号を増幅する。
【００１９】
また、ＩＦ増幅器２４のＢＰＦ１は希望局−７ｋＨｚの広帯域のフィルタ、ＩＦ増幅器２５のＢＰＦ２は希望局−３ｋＨｚの中帯域のフィルタ、ＩＦ増幅器２６のＢＰＦ３は希望局−１ｋＨｚの狭帯域のフィルタを有し、各帯域のＩＦ受信信号を増幅する。
【００２０】
ＩＦ増幅部２とＡＭ検波器４との間に設けられる混信状態判断部３は、混信状態判別回路３１と切替回路３２とを備える。ＩＦ増幅部２の６種類のＩＦ増幅器２１〜２６からの出力が混信状態判別回路３１及び切替回路３２にそれぞれ与えられる。
【００２１】
混信状態判別回路３１は、各ＩＦ増幅器２１…から与えられる出力信号のエネルギー状態を判別し、そのエネルギー状態で混信状態を判断する。そして、その判断結果を切替回路３２に与える。切替回路３２は、混信状態判別回路３１の出力に基づき、各ＩＦ増幅器２１…からの出力を切り替えＡＭ検波部４に与える。
【００２２】
また、混信状態判別回路３１は、ＡＭ検波部４の検波方式を設定するためのモード信号を与える。混信状態判断部２からの帯域通過信号とモード信号ＡＭ検波部４の切替回路４３に与えられる。この切替回路４３は混信状態判別回路３１からのモード信号により、整流検波回路４１に帯域通過信号を与えるか、同期検波回路４２に与えるかを切り替えてる。整流検波回路４１または同期検波回路４２にて検波された出力は出力ポート４４から出力される。
【００２３】
以上のように構成されるＡＭ受信機の動作について説明する。条件としては、図３に示すように、希望局はある所定の搬送波周波数で、振幅１．０、信号４００Ｈｚ正弦波とする。妨害局は振幅０．５、希望局より＋９ｋＨｚの搬送波周波数で、信号４ｋＨｚの正弦波とする。
【００２４】
このような希望局と妨害局との信号を受信し、ミキサ回路１からＩＦ増幅部３の各ＩＦ増幅器に信号が与えられる。このような信号が入力されると、各ＩＦ増幅器２１…からの出力は混信状態判別回路３１に与えられる。混信状態判別回路３１は、入力信号のエネルギー状態から希望局より＋３ｋＨｚ以上で＋７ｋＨｚ内に妨害電波があり、−側には妨害電波が存在しないことを判別する。このように、＋側にのみ妨害電波がある場合には、片側の広帯域信号をＳＳＢで用いる同期検波で検波するように、混信判別回路３１は、ＡＭ検波部４が同期検波回路４２を用いるように、モード信号を与える。また、切替回路３２にもＩＦ増幅器２４からの帯域信号をＡＭ検波部４に与えるように制御する。
【００２５】
この結果、同期検波回路４２でＩＦ増幅器２４の出力のみが検波され、−７ｋＨｚの広帯域のＳＳＢで用いる同期検波により検波されるので、良好な音質が得られる。
【００２６】
図４は、図３に示す信号を−７ｋＨｚの広帯域を同期検波回路４２により検波したこの発明の実施の形態と、±７ｋＨｚの広帯域を整流検波回路で行ったときのＡＭ検波の結果を示す。図４に示すように、従来の整流検波であれば、ノイズを含んで検波されたのに対して、この発明では、広帯域にも関わらず、ノイズのない良好な検波が行われる。
【００２７】
また、混信判別回路３１は、エネルギー状態により、選択希望局のみを受信していると判断した場合には、両側の広帯域信号を用いて検波するように、整流検波回路４１を用いるようにモード信号を与え、そして、切替回路３２にもＩＦ増幅器２１及び２４からの帯域信号を検波回路４に与えるように制御する。
【００２８】
この結果、整流検波回路４でＩＦ増幅器２１及び２４出力が検波され、±７ｋＨｚの広帯域により検波されるので、良好な音質が得られる。
【００２９】
同様にして、混信判別回路３１はエネルギー状態により、どの帯域で且つどちらの側に妨害電波があるかを判別し、それぞれの状態で最も広い帯域で検波できるように、切替回路３２及びＡＭ検波部４の検波回路の種別を選別するためのモード信号をＡＭ検波回路４に与える。たとえば、＋側１ｋＨｚ以上３ｋＨｚ以内に妨害電波がある場合には、片側−７ｋＨｚの広帯域のＳＳＢで用いる同期検波を行う。
【００３０】
また、＋側１ｋＨｚ以上３ｋＨｚ以内に妨害電波が、そして、−７ｋＨｚ未満−３ｋＨｚ以上にも妨害電波がある場合には、−３ｋＨｚの中帯域のＳＳＢで用いる同期検波を行う。
【００３１】
また、±同じレベルで妨害電波がある場合には、妨害電波が存在しない帯域で整流検波による検波を行う。
【００３２】
以上のように構成すると、妨害局が正、負どちらか一方にある場合においては、片側の妨害のない広帯域信号を用いて同期検波により検波が行えるので、良質な音声信号が再生できる。
【００３３】
なお、上記実施の形態では、正負にそれぞれ３つのＩＦ増幅器を用いたが、ＩＦ増幅器の数を多くして、フィルタ幅の種類を多くすれば、妨害信号を遮断しつつより広い受信帯域を確保できるので、より良質な音声信号が再生できる。
【００３４】
また、上記した実施の形態においては、整流検波部と同期検波部の２つの検波部を用いているが、同期検波部のみ備える構成のものにおいてもこの発明は適用できる。この場合、混信状態判別部からは希望局よりどちらか一方の妨害隣接局が無いもしくは、帯域の広い側の帯域通過信号を検波部に与える。
【００３５】
上記した実施の形態においては、ミキサ回路を用いて各帯域のフィルタに信号を入力させるように構成しているが、ミキサ回路を用いずに直接複数のフィルタに入力させ、各フィルタからの出力により、混信状態判別部で妨害局のある帯域を判別するように構成しても良い。すなわち、ダイレクト検波方式のものにおいてもこの発明は適用できる。。
【００３６】
【発明の効果】
以上説明したように、この発明によれば、帯域が絞られた音声を再生するのではなく、広帯域の音声信号を再生することができる。
【図面の簡単な説明】
【図１】この発明のラジオ受信機の構成を示すブロック図である。
【図２】この発明のラジオ受信機の要部を示すブロック図である。
【図３】この発明の動作状態を説明するための説明図である。
【図４】ＡＭ検波の結果を示す特性図である。
【符号の説明】
１  ミキサー回路
２  ＩＦ増幅部
３  混信状態判別部
４  ＡＭ検波部
【図１】
0003561665.tif 000002
【図２】
0003561665.tif 000003
【図３】
0003561665.tif 000004
【図４】
0003561665.tif 000005